(57)【特許請求の範囲】
【請求項１】
複数の商品棚が多段に設置された商品陳列室の周囲に、送風機により冷却器を通して冷気を循環させる通風路と、前記陳列室内に複数段架設した商品陳列用の棚とを備え、前記棚の一部をヒータにより加温される棚とし、前記加温棚の最下段の棚の前部から冷気を吐出して前記陳列室の開口に冷気エアーカーテンを構成することで、前記陳列室内に前記ヒータにて加温される加温領域と、その下方に冷却領域とを構成させ、さらに温度センサと、前記温度センサにより計測した冷却領域にある棚側から見ての冷却状態で、庫内ファン風量を変更する制御装置を設けた冷温蔵ショーケースにおいて、加温領域にある棚側から見て、棚温度と目標との差が大きい場合、目標温度への安定状態が悪い場合は、送風量を下げることを特徴とする冷温蔵ショーケース。
【請求項２】
冷却領域にある棚側から見て、庫内送風量モードがＨｉの場合は、冷却領域を優先するため、加温領域の要求をキャンセルさせることを特徴とする請求項１記載の冷温蔵ショーケース。
【発明の詳細な説明】
【技術分野】
【０００１】
本発明は、ホット商品とコールド商品とを同時に陳列できる冷温蔵ショーケースに関する。
【背景技術】
【０００２】
従来、スーパーマーケットやコンビニエンスストアなどに設置される冷／温使用可能なオープンタイプの低温ショーケース（オープンショーケース）は、複数の商品棚が多段に設置された商品陳列室の周囲に、ファンにより冷却器を通して冷気を循環させる通風路を備えるとともに、商品陳列室を上部のホット室と下部のコールド室とに分け、上部ホット室の商品棚に設けられたヒータの通電制御とにより、商品陳列室全体が冷却されるオールコールド運転と、ホット室が加温されコールド室が冷却される冷機温蔵運転とに切換運転されるものである。
【０００３】
下記特許文献もその１つであり、図５、図６に示すように、オープンショーケース１はスーパーマーケット等の店舗に設置される冷／温使用可能な低温ショーケースであり、前面に開口する断面略コ字状の断熱壁３と、その両側に取り付けられる側板２、２で本体を構成し、この断熱壁３の内側は間隔を存して背面パネル６、天面パネル７で仕切り、これら背面パネル６、天面パネル７と断熱壁３間に背方から上方に渡る冷気循環ダクト９を形成した。
【特許文献１】特開２００６−３０２１号公報
【０００４】
また、背面パネル６の下端には、前方に延在するデッキパン１０が設けられており、これら背面パネル６、天面パネル７及びデッキパン１０の内側に背面に商品収納庫１１を形成する。そして、デッキパン１０の下方には冷気循環ダクト９に連通してその一部を構成する下部ダクト１４を設ける。
【０００５】
冷気循環ダクト９の上端は商品収納庫１１の前面開口上縁に位置する上部冷気吐出口１６に連通し、下部ダクト１４の前端は商品収納庫１１の前面開口下縁に位置する冷気吸込口１７に連通している。
【０００６】
また、デッキパン１０の下方の下部ダクト１４内には冷気送給用の送風機１９を設置し、商品収納庫１１の後方の冷気循環ダクト９内には冷却装置の冷凍サイクルを構成する冷却器１５を縦設した。
【０００７】
商品収納庫１１内には棚４、４Ａが複数段、図示の例では上下に６段架設した。最下段の棚４Ａを除く各棚４（上から５段目まで）は、後端に後方に突出する鉤状の爪を有した左右一対のブラケット２１、２１を設け、棚板２２をこのブラケット２１、２１上に差し渡して取り付け、棚板２２の下面に加温用の電気ヒータ（図示せず）を取り付ける。
【０００８】
各棚４は、商品収納庫１１内の背面パネル６の前面両側に取り付けた棚支柱２３の係合孔に前記ブラケット２１の爪を係脱自在に係合させることにより、各商品収納庫１１内において上下位置（高さ）を変更可能に架設される。
【０００９】
図中２４は冷気遮蔽板で、冷気循環ダクト９内に突出し、冷気循環ダクト９を塞ぐことができるように構成されている。
【００１０】
まず、商品収納庫１１内の全部をクールとする場合は、冷気遮蔽板２４は冷気循環ダクト９を塞がず、この状態で送風機１９が運転されると、冷却器１５を熱交換した冷気は冷気循環ダクト９内を上昇し、上部冷気吐出口１６から吐出される。
【００１１】
吐出された冷気は商品収納庫１１の前面開口部に冷気エアーカーテンを構成しながら商品収納庫１１内を冷却する。そして、冷気吸込口１７から下部ダクト１４に吸引され、再び送風機１９に吸い込まれる循環を繰り返す。これによって、陳列室１１内の全域が冷蔵（若しくは冷凍）温度に冷却され、全棚板２２上の商品が冷却されることになる。
【００１２】
次に、上から４段目の棚４から上を加温領域として加温使用し、下を冷却領域として冷却使用する場合には、冷気遮蔽板２４を最も後方に移動させ、最上段、上から２段目、上から３段目及び上から４段目の棚４・・・の電気ヒータを発熱させる。
【００１３】
冷気遮蔽板２４は連通部より上に向かう冷気を遮断するので、上部冷気吐出口１６からの冷気吐出は無くなり、代わりに電気ヒータにて加熱されるようになるので、上から４段目の棚４から上の商品収納庫１１内は加温領域となる。
【００１４】
他方、冷気遮蔽板２４に衝突した冷気は前方に曲がり、吐出された冷気は４段目の棚４より下方の商品収納庫１１の前面開口部に冷気エアーカーテンを構成しながら４段目の棚４より下方の商品収納庫１１内を循環して冷却した後、冷気吸込口１７から吸い込まれる。これにより、４段目の棚４より下方の商品収納庫内が冷却領域となる。
【００１５】
また、商品収納庫１１の全体を加温領域とする場合は、冷却装置及び送風機１９を停止し、全段の棚４の電気ヒータを発熱させて棚板２２上の商品を加温することになる。最下段の棚４Ａも同様のブラケット２１と棚板２２から構成されるが、棚板２２上は加温しないか、別途電気ヒータを設けて加温するものとする。
【００１６】
このような冷機温蔵タイプのオープンショーケースでは通常商品収納庫室全体を冷却領域とする場合、即ち、開口上縁の冷気吐出口から冷気を吐出して商品収納庫の開口全域に冷気エアーカーテンを構成する場合を想定して送風機の能力（ファン寸法やモータ出力）を選定している。
【００１７】
そのため、冷／温使用する場合には、冷気エアーカーテンを構成する間口が小さくなり、冷気エアーカーテンの風速が適切にならず、早過ぎて外気の巻き込みが増大し、陳列室内壁や棚の先端部等に結露が発生する問題があった。
【００１８】
前記特許文献１は、冷却領域を変更した際にも適切な冷気エアーカーテンを構成することを目的として提案されたもので、ヒータにより加温される棚の段数に応じて送風機の回転数を調整する制御装置を設けた。
【００１９】
この制御装置により、ヒータにより加温される棚の段数が増加するのに応じて送風機の回転数を低下させれば、冷却領域が縮小されていくに応じて冷気エアーカーテンの風速を適切な値まで落としていくことが可能となる。
【発明の開示】
【発明が解決しようとする課題】
【００２０】
前記特許文献１は、冷気エアーカーテンの風速を制御することで、陳列室内の結露軽減と侵入熱負荷低減をより効果的に実現することを目的としたものであるが、このようにヒータにより加温される棚の段数が増加するのに応じて送風機の回転数を低下させるだけでは、十分適切な制御を実現できるものとは言えない。
【００２１】
ただし、前記加温機能を有するオープンショーケース機種の冷機温蔵ショーケースでは、特に、ホット＆コール運転時の上部ホット室（加温領域）の加温飲料ボトルの商品温度は周囲外気温度に影響される傾向があり、例えば周囲外気温度が低い場合は、飲料温度が低い傾向にあり、周囲外気温度が高い場合には高い傾向にある。
【００２２】
また、前記のように冷却器で冷却された冷風をダクトを介して各室（冷却領域）に分配する構造となっているため、各室を区画していても、各室の気密性を十分に確保することが困難で、下部コールド室への冷気が上部ホット室へ悪影響を与えることもあり、余分な冷気がヒータ付加温用棚の加温を妨げてしまう。周囲外気温度が低い場合は、特にこの傾向が強い。
【００２３】
本発明の目的は前記従来例の不都合を解消し、必要以上の冷却をしないで済むように、送風機の回転数を低下させて冷却領域に対して冷気エアーカーテンの風速を適切な値まで落としていくことを可能とするものであり、かつ、その際の制御を単純にヒータにより加温される棚の段数が増加するのに応じて行うのではなく、周囲外気温度に対応した適切な加温もしくは冷却が得られるようにした冷機温蔵ショーケースを提供することにある。
【課題を解決するための手段】
【００２４】
前記目的を達成するため、請求項１記載の本発明は、複数の商品棚が多段に設置された商品陳列室の周囲に、送風機により冷却器を通して冷気を循環させる通風路と、前記陳列室内に複数段架設した商品陳列用の棚とを備え、前記棚の一部をヒータにより加温される棚とし、前記加温棚の最下段の棚の前部から冷気を吐出して前記陳列室の開口に冷気エアーカーテンを構成することで、前記陳列室内に前記ヒータにて加温される加温領域と、その下方に冷却領域とを構成させ、さらに温度センサと、前記温度センサにより計測した冷却領域にある棚側から見ての冷却状態で、庫内ファン風量を変更する制御装置を設けた冷温蔵ショーケースにおいて、加温領域にある棚側から見て、棚温度と目標との差が大きい場合、目標温度への安定状態が悪い場合は、送風量を下げることを要旨とするものである。
【００２５】
請求項１記載の本発明によれば、冷却領域にある棚側が適正に冷却作用をおこなっていることを検知して、庫内ファン風量を変更、例えば、送風機の回転数を低下させて冷却領域に対して冷気エアーカーテンの風速を適切な値まで落としていくことを可能とするものであり、さらにＨＯＴの能力からの制御を加味し、加温領域にある棚のヒータはＯＮ／ＯＦＦ制御を行い、ある温度、例えば６、７０度になったらヒータを止めて、さがったらヒータを入れてという制御を行っているが、例えば、３０分以内のサーモ作動回で、ＨＯＴ能力が強い弱いを判断し、温まっているのか、まだ、温まりが足りないのかということを温度差にて検知して、ＨＯＴ能力が充分であれば、冷やす方を優先という制御を可能とするものである。
【００３０】
請求項２記載の本発明は、冷却領域にある棚側から見て、庫内送風量モードがＨｉの場合は、冷却領域を優先するため、加温領域の要求をキャンセルさせることを要旨とするものである。 
【００３１】
請求項２記載の本発明によれば、請求項１の制御と請求項３の制御との優先度を明らかにするものであり、ＨＯＴの能力が充分であれば、冷やす方（ＣＯＬＤ９を優先したい、温まらないようであれば、ＣＯＬＤの能力をあきらめて、送風量を下げることができる。
【発明の効果】
【００３２】
以上述べたように本発明の冷機温蔵ショーケースは、基本的にはＨＯＴの能力を見て、だめだった場合には、送風機の回転数を低下させて冷却領域に対して冷気エアーカーテンの風速を適切な値まで落としていくことを可能とするものであり、かつ、その際の制御を単純にヒータにより加温される棚の段数が増加するのに応じて行うのではなく、周囲外気温度に対応した適切な加温もしくは冷却が得られるようになるものである。
【００３３】
本発明によれば、ＨＯＴの棚の台数がいくつであるかということは全く関係なく、ＨＯＴの棚が多くても、少なくても、冷えやすい場合、つまり、外気が高い場合には送風機の風量が減って、また、外気温度が高くてＨＯＴが出やすい場合には、送風機の風量が減って、外気温度が低くてＨＯＴが出にくい場合にはＨＯＴの割合を上げていくという制御を行うことができる。
【００３４】
すなわち、ＨＯＴの方、要は温まり難いということは、冷え易いということなので、送風機の風量を下げても実用上問題がないので、ＨＯＴの方を優先し、外気温度が高くで、ＨＯＴが出やすい場合には、事実上、温まっているのだから、ＣＯＬＤの方を優先するという制御が可能となる。
【発明を実施するための最良の形態】
【００３５】
以下、図面について本発明の実施の形態を詳細に説明する。図１〜図３は本発明の冷機温蔵ショーケースの１実施形態を示す縦断側面図、同上正面図、同上斜視図で、前記従来例を示す図５、図６と同一構成要素には同一参照符号を付したものである。
【００３６】
図中１はスーパーマーケット等の店舗に設置される冷／温使用可能な低温ショーケースとしてのオープンショーケースであり、その基本的構造は前記従来例を示す図５、図６と同じである。
【００３７】
オープンショーケース１は、前面に開口する断面略コ字状の断熱壁３と、その両側に取り付けた側板２、２で本体部分を構成し、断熱壁３の内側を間隔を存して背面パネル６、天面パネル７で仕切り、これら背面パネル６、天面パネル７と断熱壁３間に背方から上方に渡る冷気循環ダクト９を形成した。
【００３８】
また、背面パネル６の下端には、前方に延在するデッキパン１０を設け、前記背面パネル６、天面パネル７及びデッキパン１０の内側に背面に商品収納庫１１を形成した。デッキパン１０の下方には冷気循環ダクト９に連通してその一部を構成する下部ダクト１４を設ける。
【００３９】
冷気循環ダクト９の上端は商品収納庫１１の前面開口上縁に位置する上部冷気吐出口１６に連通させ、下部ダクト１４の前端は商品収納庫１１の前面開口下縁に位置する冷気吸込口１７に連通させる。
【００４０】
また、デッキパン１０の下方の下部ダクト１４内には、冷気送給用の送風機１９を設置し、商品収納庫１１の後方の冷気循環ダクト９内には冷却装置の冷凍サイクルを構成する冷却器１５を縦設する。
【００４１】
商品収納庫１１内には棚４、４Ａが複数段、図示の例では上下に４段架設した。最下段の棚４Ａを除く各棚４（上から３段目まで）は、後端に後方に突出する鉤状の爪を有した左右一対のブラケット２１、２１を設け、棚板２２をこのブラケット２１、２１上に差し渡して取り付け、棚板２２の下面に加温用の電気ヒータ（図示せず）を取り付ける。
【００４２】
各棚４は、商品収納庫１１内の背面パネル６の前面両側に取り付けた棚支柱２３の係合孔に前記ブラケット２１の爪を係脱自在に係合させることにより、各商品収納庫１１内において上下位置（高さ）を変更可能に架設される。
【００４３】
図中２４は冷気遮蔽板で、冷気循環ダクト９内に突出し、冷気循環ダクト９を塞ぐことができるように構成されている。この冷気遮蔽板２４は各棚４にそれぞれスライド自在に設け、必要に応じて冷気循環ダクト９内を閉塞するものを選択することができる。
【００４４】
オープンショーケース１の下部に形成された機械室８には、冷却ユニットとしての凝縮器１２、凝縮器ファン１３、ドレン蒸発装置１８、電装ボックス２０ａ、２０ｂ、アキュームレーター２６、圧縮器２７等を設置する。ドレン蒸発装置１８は、蒸発板、蒸発皿、オーバーフロータンクからなる。
【００４５】
電装ボックス２０ａは、漏電しゃ断器、デジタル温度計・表示器、ホット・コールド切替スイッチ、冷機温蔵棚割りスイッチ、冷凍機スイッチ（冷却入／切）を備える。
【００４６】
この機械室１１は周囲をパネル２９で囲まれており、ショーケースの前面側もしくは側部側のパネル２９には空気取り込み用のスリット２５を形成する。
【００４７】
なお、図示は省略するが、前記電装ボックス２０ａもしくは２０ｂ内には、棚板２２の下面の加温用の電気ヒータの制御と送風機１９の制御を行う制御装置（マイコン）が設けられる。
【００４８】
また、外気温度を検知するものとして、例えば、凝縮器１２の入口側に、温度センサ２８を取り付け、この温度センサの検知出力も制御装置（マイコン）に導入し、外気温度により送風機１９の風量を制御するものとした。
【００４９】
まず、商品収納庫１１内の全部をクールとする場合は、冷気遮蔽板２４はいずれも冷気循環ダクト９を塞がず、この状態で送風機１９が運転されると、冷却器１５を熱交換した冷気は冷気循環ダクト９内を上昇し、上部冷気吐出口１６から吐出される。
【００５０】
吐出された冷気は商品収納庫１１の前面開口部に冷気エアーカーテンを構成しながら商品収納庫１１内を冷却する。そして、冷気吸込口１７から下部ダクト１４に吸引され、再び送風機１９に吸い込まれる循環を繰り返す。これによって、陳列室１１内の全域が冷蔵（若しくは冷凍）温度に冷却され、全棚板２２上の商品が冷却される。
【００５１】
また、商品収納庫１１の全体を加温領域とする場合は、冷却装置及び送風機１９を停止し、全段の棚４、４Ａの電気ヒータを発熱させて棚板２２上の商品を加温する。
【００５２】
次に、上から１から３段目までの棚４のいずれかを加温領域として加温使用し、下を冷却領域として冷却使用する場合には、冷気遮蔽板２４で冷気循環ダクト９内を閉鎖し、閉鎖した冷気循環ダクト９内の上側の棚４、４Ａの電気ヒータを発熱させる。
【００５３】
冷気遮蔽板２４は連通部より上に向かう冷気を遮断するので、上部冷気吐出口１６からの冷気吐出は無くなり、代わりに電気ヒータにて加熱されるようになるので、その部分の商品収納庫１１内は加温領域となる。
【００５４】
他方、冷気遮蔽板２４に衝突した冷気は前方に曲がり、吐出された冷気は下方の商品収納庫１１の前面開口部に冷気エアーカーテンを構成しながら電気ヒータにて加熱されない棚４、４Ａの商品収納庫１１内を循環して冷却した後、冷気吸込口１７から吸い込まれる。これにより、下方の商品収納庫内が冷却領域となる。
【００５５】
本発明は、第１の制御として、電気ヒータにて加熱されない棚４、４Ａ側から見て、冷却状態より庫内ファンである送風機１９の風量を、例えば高域からＨｉ，Ｍｉｄ，Ｌｏと区分されたモードから選定する。そして簡易所要冷却能力として、外気温度状態より風量の割合を定める。
【００５６】
第２の制御として、加温領域にある棚４側から見て、棚温度と目標との差が大きい場合、目標温度への安定状態が悪い場合は、送風機１９の送風量を下げる。
【００５７】
ただし、冷却領域（Ｃｏｌｄ）の棚４、４Ａ側から見て、送風機１９の庫内送風量モードがＨｉの場合は、冷却領域（Ｃｏｌｄ）を優先するため、加温領域（ＨＯＴ）の要求をキャンセルさせる。要は、冷えを優先しながらも、ＨＯＴの状態で、風量を押さえる。冷えてきたら、ＨＯＴ能力への配分を強くし、風量調整をする。
【００５８】
これら３つの制御をさらに詳細に説明すると、図７はその制御フローを示すもので、
庫内ファン風量（回転速度）の決定は、１．庫内温度の冷え状態の算出→２．庫内の冷え進行状態の算出→３．庫内温度の冷え進行状態と進行状態より→４．庫内ファン風良モードと、外気温度により庫内ファン風量の回転数仮決定→５．ＨＯＴ棚の温まり状態からの風量抑制の割合を設定、→６．冷す側優先とするかの判定、→７．優先とする場合は、ＨＯＴ棚からの風演算式による庫内ファン風量の決定という手順になる。
【００５９】
制御のタイミングは、庫内ファン（送風機１９）の制御周期により回転数変化させる。なお、すべてが加温領域（ＡＬＬＨＯＴ）時は、庫内ファン（送風機１９）は停止とする。
【００６０】
下記表１に庫内ファン（送風機１９）の制御、各算出表を示す。前記１．庫内が現在どれだけ冷えているかの判定は、庫内温度と目標温度の佐賀大きいほど冷えていない、小さければ冷えている、よって、その差を△tjとして庫内温度−目標温度＝△tjとする。
そして、その差の大きさによって、ランク付けを行い、ここでは冷えていないほど大きいランクとして△Tevajとして扱う。そのための変換表が、次の表１である。      
【００６１】
【表１】
0005691964.tif 000002
【００６２】
前記２．庫内の冷え進行状況のと現在の冷えの状況から、庫内風量の元値の決定については、ここでは３分後とに庫内温度と目標温度の差△tjを測定し、前回のtj-1より冷えているか、いないかで条件分けをする。
【００６３】
その条件分けと現在の△tjの下記表２より庫内風量の元となる庫内ファン風量モードを決める。考えは、冷えていなければ風量を増し、冷えていれば風量を絞る。ここでの庫内ファン風量モードが小さいほど、風量を必要としている。下記表２に庫内ファン（送風機１９）の風量モードを示す。
【００６４】
【表２】
0005691964.tif 000003
【００６５】
前記３．庫内ファン風良モードと、外気により庫内ファンの風量仮決定では、考えは、冷したいほど風量を上げる。外気が高ければ当然冷すためには、風量を上げることが必要。外気が低ければ逆。よってファンの定格風量を１００％として、冷すことを低めでよければ、風量を下げていく。下記表３に庫内ファン基準風量割合を示す。
【００６６】
【表３】
0005691964.tif 000004
【００６７】
前記４．ＨＯＴ棚からの風量抑制要求では、ＨＯＴ棚設定があった場合以下を行う。冷え状態から求めた庫内ファン風量から、棚が暖まっていない場合は風量を下げ、暖めることを促す。また棚はヒータのオンオフで目標温度前後に安定させる。また、オンオフは機会接点を使う場合は、数分間隔で行い、接点磨耗を抑えるため、オフ（サーモ作動中）は、棚温度が冷えている場合がある。更に、サーモの作動がよくある場合は、今の温度が低くても、能力的には暖めることが出来ると判断できる。よって、現在がサーモ作動中か、否か、否の場合は、棚の目標温度よりどれだけ低いかと、サーモ作動回数のマップより、庫内ファン風量の下げる割合をマップ上から定める。
【００６８】
ここでのＨＯＴ棚と目標温度との差は、棚が複数ある場合は、各棚ごとに算出し、その中の一番差が大きい数値を選ぶ。棚ＨＯＴ温度加温能力判定した結果の、庫内ファン基準風量割合を下記表４に示す。
【００６９】
【表４】
0005691964.tif 000005
【００７０】
棚４、４Ａを電気ヒータにて加熱する際の制御は、段数を設定し、この設定により、コントローラは、指定された棚４、４Ａの電気ヒータに電気を通電し、暖める機能を発生させる。
【００７１】
電気ヒータで加熱した棚４、４Ａが目標温度を超えないように、各棚には温度センサ（図示せず）があり、コントローラはその温度を見て通電を制御する。通電の制御は、サーモ（スタット）による単純な温度の閾値をもって止めたり、復活させる。
【００７２】
サーモの作動回数のカウントについては下記の通りである。
（１）ＨＯＴ棚加温段数設定後から、タイマカウントスタートする。
（２）０〜１０時間３０分間で、ＣＯＬＤとの境界のＨＯＴ棚のサーモＯＮ回数をカウントし、カウント数によりサーモ作動回数条件判定する。
【００７３】
また、ＣＯＬＤとの境界のＨＯＴ棚のサーモ状態をフラグ化する。サーモＯＮ時はフラグ「１」、サーモＯＦＦ時はフラグ「０」とする。
【００７４】
ＣＯＬＤとの境界のＨＯＴ棚がサーモＯＮの場合は、条件１で、風量割合減算率を算出する。
（３）サーモＯＦＦ時はＨＯＴ棚温度−目標温度の差で条件２〜４で、風量割合減算率を算出する。
（４）除霜時に、タイマカウントリセット＆スタート、サーモカウントリセット＆スタートし、（２）に移行する。
【００７５】
運転停止にした場合、タイマ＆サーモカウントリセット。運転開始で、タイマ＆サーモカウントスタートし、（２）に移行する。
※ＡＬＬＣＯＬＤ、ＡＬＬＨＯＴ時は、タイマカウント、サーモカウントリセット＆ストップとする。
（５）ＨＯＴ棚加温段数設定変更した場合は、（１）から始める。
【００７６】
このような検知を行う対象棚は、図４に示すようにＣｏｌｄとの境界のＨＯＴ棚である。
【００７７】
前記５．冷え優先での風量設定では、運転直後、冷す棚も冷えていない、暖める棚も暖まっていない場合、能力として冷す方が高いので、冷す方を先に済ませる。その後、暖める方を行う。よって風量としては、最初は強く、冷えたらＨＯＴを考慮し落としていく。そのため、強く冷さす場合は、４項で求めた、風量抑制要求をキャンセルさせる。そのための演算定数を庫内ファン風量モードより求める。
【００７８】
前記６．風量の決定は、ここまで求めた、各定数を下記式に入れて、庫内ファン風量を決定する。よって前記５．冷え優先での風量設定内項で求めた演算定数が０だと（）内は１となり、前記４．ＨＯＴ棚からの風量抑制要求項で求めた風量抑制要求は０となる。
庫内ファン風量  ＝  庫内ファン基準回転数  ×  庫内ファン基準風量割合  ×  （  １  −  庫内ファン演算定数  ×  風量割合減算率  ）
【００７９】
尚ここでの庫内ファン基準回転数とは、製品毎に定めているファンモータの回転速度のことを示している。この計算では、外気が低く、冷えが十分である場合は、庫内ファン風量は基準回転数の３０％となる。逆に良く温まっていて外気が高ければ、７５％となる。庫内ファンの算出演算は下記表５の定数による。
【００８０】
【表５】
0005691964.tif 000006
【図面の簡単な説明】
【００８１】
【図１】本発明の冷温蔵ショーケースの１実施形態を示す縦断側面図である。
【図２】本発明の冷温蔵ショーケースの１実施形態を示す斜視図である。
【図３】本発明の冷温蔵ショーケースの１実施形態を示す機械室の平面図である。
【図４】検知対象棚を示す表である。
【図５】冷温蔵ショーケースの縦断側面図である。
【図６】冷温蔵ショーケースの斜視図である。
【図７】本発明の風量決定のフロー図である。
【符号の説明】
【００８２】
１  オープンショーケース
２  側板
３  断熱壁
４、４Ａ  棚
５  棚ダクト部材
６  背面パネル
７  天面パネル
８  機械室
９  冷気循環ダクト
１０  デッキパン
１１  商品収納庫
１２  凝縮器
１４  下部ダクト
１５  冷却器
１６  上部冷気吐出口
１７  冷気吸込口
１８  ドレン蒸発装置
１９  送風機
２０ａ、２０ｂ  電装ボックス
２１  ブラケット
２２  棚板
２３  棚支柱
２４  冷気遮蔽板
２５  スリット
２６  アキュームレーター
２７  圧縮器
２８  温度センサ
２９  パネル
【図１】
0005691964.tif 000007
【図２】
0005691964.tif 000008
【図３】
0005691964.tif 000009
【図４】
0005691964.tif 000010
【図５】
0005691964.tif 000011
【図６】
0005691964.tif 000012
【図７】
0005691964.tif 000013